(57)【特許請求の範囲】
【請求項１】
レジストが塗布され回転ステージに設置された基板上に、前記回転ステージを回転させつつ、電子ビーム描画装置により電子ビームを走査して、該電子ビームの照射径より大きいエレメントで構成される微細パターンを描画する電子ビーム描画方法において、
前記基板を一方向に回転させつつ、該基板の回転に対し、前記微細パターンの描画データに基づき、基板の所定回転位置でオン信号により電子ビームを照射し、基板の回転に追従して回転方向に描画し、オフ信号で描画を停止するオン・オフ制御により１周分の描画を行うのに続いて、前記電子ビームまたは基板を該基板の半径方向に移動させて前記オン・オフ制御による描画を繰り返し、前記微細パターンを描画するものであり、
前記エレメント１つ分の前記回転方向の線幅分の描画を連続的な１回のオン信号により行うものであって、
前記エレメント配置の疎密程度に応じ、密配置部におけるエレメント描画では、前記オン・オフ制御のオン時間を、疎配置部における同一エレメント描画でのオン時間より短く設定して、前記密配置部における前記回転方向のエレメント描画線幅が、前記疎配置部における前記回転方向のエレメント描画線幅よりも短くなるように調整し、近接効果補正を行うことを特徴とする電子ビーム描画方法。
【請求項２】
前記回転ステージの回転速度を、描画位置の半径に反比例して内周トラック描画で速く外周トラック描画で遅くなるように、線速度を一定とする回転制御を行い、
前記電子ビームの描画制御信号は、前記回転ステージの回転に連係して生起する描画クロック信号に基づいて作成するものであり、該描画クロック信号は、前記回転ステージの１回転におけるクロック数を、描画位置の半径によらず各トラックで一定値とし、
前記近接効果補正を、前記描画クロック信号における整数個のクロック数を増減することで行うことを特徴とする請求項１に記載の電子ビーム描画方法。
【請求項３】
前記微細パターンの描画は、前記基板を一方向に回転させつつ、前記電子ビームを、該基板の半径方向へ往復振動させるとともに、前記オン・オフ制御により基板の所定回転位置に、基板の回転に追従して照射し、前記エレメントの描画を行うことを特徴とする請求項１または２に記載の電子ビーム描画方法。
【請求項４】
前記微細パターンの描画は、前記基板を一方向に回転させつつ、前記電子ビームを所定半径位置に固定し、前記オン・オフ制御により基板の所定回転位置に照射し、基板の次の回転で電子ビームの照射位置を半径方向に移動させて、前記オン・オフ制御による照射を繰り返して、前記エレメントの描画を行うことを特徴とする請求項１または２に記載の電子ビーム描画方法。
【請求項５】
前記請求項１〜請求項４のいずれか１項記載の電子ビーム描画方法を実現するための描画データ信号を送出する信号送出装置および電子ビームを走査する電子ビーム描画装置を備えたことを特徴とする微細パターン描画システム。
【請求項６】
前記電子ビーム描画装置は、レジストが塗布された基板を回転させつつ半径方向に移動可能な回転ステージと、電子ビームを出射する電子銃と、前記電子ビームを前記回転ステージの半径方向に偏向させる偏向手段と、描画部分以外は電子ビームの照射を遮断するオン・オフ制御を行うブランキング手段と、前記各手段による作動を連係制御するコントローラとを備え、
前記信号送出装置は、前記基板に描画する微細パターンの形態に応じたデータに基づき、前記電子ビーム描画装置のコントローラに描画データ信号を送出するものであり、
前記コントローラは、微細パターンの描画データに基づき、基板の所定回転位置でオン信号により電子ビームを照射し、基板の回転に追従して回転方向に描画し、オフ信号で描画を停止するオン・オフ制御により１周分の描画を行うのに続いて、前記電子ビームまたは基板を該基板の半径方向に移動させて前記オン・オフ制御による描画を繰り返し、前記微細パターンを描画するとともに、
前記エレメント１つ分の前記回転方向の線幅分の描画を連続的な１回のオン信号により行うものであって、前記エレメント配置の疎密程度に応じ、密配置部におけるエレメント描画では、前記オン・オフ制御のオン時間を、疎配置部における同一エレメント描画でのオン時間より短く設定して、前記密配置部における前記回転方向のエレメント描画線幅が、前記疎配置部における前記回転方向のエレメント描画線幅よりも短くなるように調整し、近接効果補正を行うように作成した描画信号に基づいて制御することを特徴とする請求項５に記載の微細パターン描画システム。
【請求項７】
レジストが塗布された基板に、請求項１〜請求項４のいずれか１項記載の電子ビーム描画方法により所望の微細パターンを描画し、該所望の微細パターンに応じた凹凸パターンを形成する工程を経て製造することを特徴とする凹凸パターン担持体の製造方法。
【請求項８】
レジストが塗布された基板に、請求項１〜請求項４のいずれか１項記載の電子ビーム描画方法により所望の微細パターンを描画し、該所望の微細パターンに応じた凹凸パターンを形成する工程を経て作製されたインプリントモールドを用い、該モールドの表面に設けられた前記凹凸パターンに応じた凹凸パターンを転写することを特徴とする磁気ディスク媒体の製造方法。
【請求項９】
レジストが塗布された基板に、請求項１〜請求項４のいずれか１項記載の電子ビーム描画方法により所望の微細パターンを描画し、該所望の微細パターンに応じた凹凸パターンを形成する工程を経て作製された磁気転写用マスター担体を用い、該マスター担体の表面に設けられた前記凹凸パターンに応じた磁化パターンを磁気転写することを特徴とする磁気ディスク媒体の製造方法。
【発明の詳細な説明】
【技術分野】
【０００１】
本発明は、ディスクリートトラックメディアやビットパターンメディアなどの高密度磁気記録媒体用のインプリントモールドや磁気転写用マスター担体などを作製する際に、所望の凹凸パターンに応じた微細パターンを描画するための電子ビーム描画方法および微細パターン描画システムに関するものである。
【０００２】
また、本発明は、上記電子ビーム描画方法を用いた描画を行う工程を経て作製される、凹凸パターン表面を有するインプリントモールドあるいは磁気転写用マスター担体などを含む凹凸パターン担持体の製造方法、さらには該凹凸パターン担持体であるインプリントモールドを用いて凹凸パターンが転写されてなる磁気ディスク媒体の製造方法および磁気転写用マスター担体を用いて磁化パターンが転写されてなる磁気ディスク媒体の製造方法に関するものである。
【背景技術】
【０００３】
現状の磁気ディスク媒体では、一般にサーボパターンなどの情報パターンが形成されている。また、記録密度のさらなる高密度化の要請から、隣接するデータトラックを溝（グルーブ）からなるグルーブパターン（ガードバンド）で分離し、隣接トラック間の磁気的干渉を低減するようにしたディスクリートトラックメディア（ＤＴＭ）が注目されている。さらに高密度化を図るために提案されているビットパターンメディア（ＢＰＭ）は単磁区を構成する磁性体（単磁区微粒子）が物理的に孤立して規則的に配列されてなり、微粒子１個に１ビットを記録するメディアである。
【０００４】
従来、上記サーボパターン等の微細パターンは、磁気ディスク媒体に凹凸パターンまたは磁化パターンなどによって形成され、高密度の磁気ディスク媒体を製造するための磁気転写用マスター担体の原盤などに、所定の微細パターンをパターニングするための電子ビーム描画方法が提案されている。この電子ビーム描画方法は、レジストが塗布された基板を回転させながら、パターン形状に対応した電子ビームの照射によってパターン描画を行うものである（例えば、特許文献１、特許文献２参照）。
【０００５】
上記特許文献１の電子ビーム描画方法は、例えばサーボパターンを構成するトラックの幅方向に延びる矩形または平行四辺形のエレメントを描画する際に、オン・オフ描画方法として、レジストが塗布された基板を回転させながら、パターン形状に対応して電子ビームをオン・オフ照射し、基板または電子ビーム照射装置を１回転に１ビーム幅ずつ半径方向に移動させてパターン描画を行うか、ビーム照射時に、該ビームを半径方向に往復偏向走査させてエレメントを一度に描画する方法である。
【０００６】
また、特許文献２の電子ビーム描画方法は、光ディスク等の記録ピットを描画する際に、基板を回転させながら、パターン描画データに応じたオン・オフ制御により電子ビームを照射するとともに、この電子ビームを半径方向に往復振動させて、基板の回転に伴う照射時間に応じた回転方向に延びる信号長に描画する方法である。
【特許文献１】特開２０００−２０７７３８号公報
【特許文献２】特開２００３−２４８９８１号公報
【発明の開示】
【発明が解決しようとする課題】
【０００７】
ところで、上記のような電子ビーム描画方法では、微細パターンのエレメント配置における疎密程度に応じ近接効果の影響によって、電子ビームを走査して基板上に描画したパターン形状に対して、実際にレジストに感光される形状が異なり、エレメントの密配置部では描画した形状に対して感光形状が大きくなることから、ドーズ量（照射線量）を変更する近接効果補正を行う必要があることが知られている。
【０００８】
上記電子ビーム描画における近接効果は、照射された電子ビームの散乱による近接描画領域への感光影響のことであり、その描画パターンにおけるエレメント配置の疎密程度によって受ける影響が異なっている。つまり、電子ビームがレジストに入射されると、レジスト内より基板に向けて進むにしたがって前方散乱によりビームに広がりが起こる。さらに、基板に入射したビームが散乱し、その底部より大きな散乱角をもって跳ね返ってくる後方散乱が生じる。近接効果はこれらの散乱電子によりレジストが照射範囲より広く感光することにより生じる。
【０００９】
そして、上記微細パターンは、各記録信号に対応するエレメントの集合体よりなり、このエレメント配置の集合における中央部分のようにエレメントが近接して連続配置された密配置部位では、周囲のエレメント描画に伴う多くの散乱電子により近接効果が大きくなり、ドーズ量オーバーとなりやすい傾向にある。一方、エレメント配置の集合における輪郭部分のように、周囲に描画されるエレメントが少ない疎配置部位では、影響を受ける散乱電子が少なく近接効果が小さくなり、ドーズ量不足となりやすい傾向にある。これらの現象は、レジスト感度が高くなると顕著となる。
【００１０】
上記のような疎密程度に応じたドーズ量変動が生じると、描画露光後のレジストを現像したときに、描画範囲と除去される感光レジスト範囲とが異なって、エレメント形状に誤差が発生し、所望の微細パターンの形成精度に影響を与える。
【００１１】
例えば、図９（Ａ）に示すように、１つのトラックに同じ信号長（線幅）で６本のエレメント３ａ〜３ｃを、電子ビームＥＢによりエレメント幅方向（基板の半径方向と直交する方向）に往復振動させて描画した場合に、１つのエレメントの描画に伴う散乱の影響が両側に２本分の範囲に及ぶとすると、そのエレメント配置の疎密程度は、両端のエレメント３ａは内側２本の影響を受ける疎配置部であり、その内側のエレメント３ｂは外側１本、内側２本の中間配置部であり、中央のエレメント３ｃは両側２本ずつの密配置部となる。
【００１２】
上記のような図９（Ａ）の電子ビーム描画の結果、感光されたパターンを図９（Ｂ）に模式的に示している。両端の疎配置部エレメント４ａがレジスト感度とビーム強度との関係で、（Ａ）の描画幅に相当する感光形状となる場合に、中間配置部のエレメント４ｂの感光幅はそれより所定比率で大きくなり、中央の密配置部エレメント４ｃでは、さらに所定比率で大きくなり、エレメント間隔が狭くなり、（Ａ）の設計パターンとは異なり、実際に感光された（Ｂ）のパターンが（Ａ）の形態となるように、各エレメントでの電子ビーム描画を調整する近接効果補正が必要となる。
【００１３】
しかし、実際の電子ビーム描画における近接効果補正は、その設定および描画制御が煩雑で煩雑となる問題を有している。
【００１４】
本発明は上記事情に鑑みて、磁気ディスク媒体に形成する微細パターンの描画が基板の全面で所定通りに高精度に行え、近接効果補正が簡易に行えるようにして基板全体で一定のドーズ量で高速かつ正確に描画できるようにした電子ビーム描画方法および電子ビーム描画を行うための微細パターン描画システムを提供することを目的とするものである。
【００１５】
また、本発明は、電子ビームにより精度よく描画された微細パターンを有する、インプリントモールドや磁気転写用マスター担体などの凹凸パターン担持体の製造方法を提供すること、および、その凹凸パターン担持体を用いて凹凸パターンもしくは磁気パターンが転写されてなる磁気ディスク媒体の製造方法を提供することを目的とするものである。
【課題を解決するための手段】
【００１６】
本発明の電子ビーム描画方法は、レジストが塗布され回転ステージに設置された基板上に、前記回転ステージを回転させつつ、電子ビーム描画装置により電子ビームを走査して、該電子ビームの照射径より大きいエレメントで構成される微細パターンを描画する電子ビーム描画方法において、
前記基板を一方向に回転させつつ、該基板の回転に対し、前記微細パターンの描画データに基づき、基板の所定回転位置でオン信号により電子ビームを照射し、基板の回転に追従して回転方向に描画し、オフ信号で描画を停止するオン・オフ制御により１周分の描画を行うのに続いて、前記電子ビームまたは基板を該基板の半径方向に移動させて前記オン・オフ制御による描画を繰り返し、前記エレメントを描画するものであり、
前記エレメント配置の疎密程度に応じ、密配置部におけるエレメント描画では、前記オン・オフ制御のオン時間を、疎配置部における同一エレメント描画でのオン時間より短く設定してドーズ量を調整し、近接効果補正を行うことを特徴とするものである。
【００１７】
その際、前記回転ステージの回転速度を、描画位置の半径に反比例して内周トラック描画で速く外周トラック描画で遅くなるように、線速度を一定とする回転制御を行い、前記電子ビームの描画制御信号は、前記回転ステージの回転に連係して生起する描画クロック信号に基づいて作成するものであり、該描画クロック信号は、前記回転ステージの１回転におけるクロック数を、描画位置の半径によらず各トラックで一定値とし、前記近接効果補正を、前記描画クロック信号における整数個のクロック数を増減することで行うことが好適である。
【００１８】
また、前記微細パターンの描画は、前記基板を一方向に回転させつつ、前記電子ビームを、該基板の半径方向へ往復振動させるとともに、前記オン・オフ制御により基板の所定回転位置に、基板の回転に追従して照射し、前記エレメントの描画を行うことが可能である。
【００１９】
さらに、前記微細パターンの描画は、前記基板を一方向に回転させつつ、前記電子ビームを所定半径位置に固定し、前記オン・オフ制御により基板の所定回転位置に照射し、基板の次の回転で電子ビームの照射位置を半径方向に移動させて、前記オン・オフ制御による照射を繰り返して、前記エレメントの描画を行うことが可能である。
【００２０】
本発明の微細パターン描画システムは、上記の電子ビーム描画方法を実現するための描画データ信号を送出する信号送出装置および電子ビームを走査する電子ビーム描画装置を備えたことを特徴とするものである。
【００２１】
前記微細パターン描画システムにおける前記電子ビーム描画装置は、レジストが塗布された基板を回転させつつ半径方向に移動可能な回転ステージと、電子ビームを出射する電子銃と、前記電子ビームを前記回転ステージの半径方向に偏向させる偏向手段と、描画部分以外は電子ビームの照射を遮断するオン・オフ制御を行うブランキング手段と、前記各手段による作動を連係制御するコントローラとを備え、前記信号送出装置は、前記基板に描画する微細パターンの形態に応じたデータに基づき、前記電子ビーム描画装置のコントローラに描画データ信号を送出するものであり、前記コントローラは、微細パターンの描画データに基づき、基板の所定回転位置でオン信号により電子ビームを照射し、基板の回転に追従して回転方向に描画し、オフ信号で描画を停止するオン・オフ制御により１周分の描画を行うのに続いて、前記電子ビームまたは基板を該基板の半径方向に移動させて前記オン・オフ制御による描画を繰り返し、前記エレメントを描画するとともに、前記エレメント配置の疎密程度に応じ、密配置部におけるエレメント描画では、前記オン・オフ制御のオン時間を、疎配置部における同一エレメント描画でのオン時間より短く設定してドーズ量を調整し、近接効果補正を行うように作成した描画信号に基づいて制御するように構成するのが好適である。
【００２２】
本発明の凹凸パターン担持体の製造方法は、レジストが塗布された基板に、上記の電子ビーム描画方法により所望の微細パターンを描画し、該所望の微細パターンに応じた凹凸パターンを形成する工程を経て製造することを特徴とするものである。ここで、凹凸パターン担持体とは、表面に所望の凹凸パターン形状を有する担体であり、その凹凸パターンの形状を磁気ディスク媒体に転写するためのインプリントモールド、凹凸パターンの形状に応じた磁化パターンを磁気ディスク媒体に転写するための磁気転写用マスター担体などである。
【００２３】
本発明の磁気ディスク媒体の製造方法は、レジストが塗布された基板に、上記の電子ビーム描画方法により所望の微細パターンを描画し、該所望の微細パターンに応じた凹凸パターンを形成する工程を経て作製されたインプリントモールドを用い、該モールドの表面に設けられた前記凹凸パターンに応じた凹凸パターンを転写することを特徴とするものである。
【００２４】
また、本発明の他の磁気ディスク媒体の製造方法は、レジストが塗布された基板に、上記の電子ビーム描画方法により所望の微細パターンを描画し、該所望の微細パターンに応じた凹凸パターンを形成する工程を経て作製された磁気転写用マスター担体を用い、該マスター担体の表面に設けられた前記凹凸パターンに応じた磁化パターンを磁気転写することを特徴とするものである。
【発明の効果】
【００２５】
本発明の電子ビーム描画方法によれば、レジストが塗布され回転ステージに設置された基板を一方向に回転させつつ、微細パターンの描画データに基づき、基板の所定回転位置でオン信号により電子ビームを照射し、基板の回転に追従して回転方向に描画し、オフ信号で描画を停止するオン・オフ制御により１周分の描画を行うのに続いて、電子ビームまたは基板を該基板の半径方向に移動させてオン・オフ制御による描画を繰り返し、微細パターンのエレメントを描画するものであり、前記エレメント配置の疎密程度に応じ、密配置部におけるエレメント描画では、前記オン・オフ制御のオン時間を、疎配置部における同一エレメント描画でのオン時間より短く設定してドーズ量を調整し、近接効果補正を行うことにより、この近接効果補正が簡易な制御で正確に行え、基板の全面に設計通りの微細パターンを高速に高精度に描画でき、描画効率の向上による描画時間の短縮化が図れる。
【００２６】
その際、回転ステージの回転速度を、描画位置の半径に反比例して内周トラック描画で速く外周トラック描画で遅くなるように、線速度を一定とする回転制御を行い、前記電子ビームの描画制御信号は、前記回転ステージの回転に連係して生起する描画クロック信号に基づいて作成するものであり、該描画クロック信号は、回転ステージの１回転におけるクロック数を、描画位置の半径によらず各トラックで一定値とし、近接効果補正を描画クロック信号における整数個のクロック数を増減することで行うと、近接効果補正が簡易に高精度に行うことができることに加えて、半径位置に応じた制御が簡易に高精度に行うことができる。
【００２７】
一方、本発明の微細パターン描画システムは、電子ビーム描画方法を実現するための描画データ信号を送出する信号送出装置および電子ビームを走査する電子ビーム描画装置を備えたことにより、所望の微細パターンを高速に高精度に描画でき、描画効率の向上による描画時間の短縮化を図ることができる。
【００２８】
特に、前記微細パターン描画システムにおける電子ビーム描画装置を、レジストが塗布された基板を回転させつつ半径方向に移動可能な回転ステージと、電子ビームを出射する電子銃と、前記電子ビームを前記回転ステージの半径方向に偏向させる偏向手段と、描画部分以外は電子ビームの照射を遮断するオン・オフ制御を行うブランキング手段と、前記各手段による作動を連係制御するコントローラとを備え、前記信号送出装置は、前記基板に描画する微細パターンの形態に応じたデータに基づき、前記電子ビーム描画装置のコントローラに描画データ信号を送出するものであり、前記コントローラは、微細パターンの描画データに基づき、基板の所定回転位置でオン信号により電子ビームを照射し、基板の回転に追従して回転方向に描画し、オフ信号で描画を停止するオン・オフ制御により１周分の描画を行うのに続いて、前記電子ビームまたは基板を該基板の半径方向に移動させて前記オン・オフ制御による描画を繰り返し、前記エレメントを描画するとともに、前記エレメント配置の疎密程度に応じ、密配置部におけるエレメント描画では、前記オン・オフ制御のオン時間を、疎配置部における同一エレメント描画でのオン時間より短く設定してドーズ量を調整し、近接効果補正を行うように作成した描画信号に基づいて制御するように構成することで好適にシステムが構築できるものである。
【００２９】
さらに、本発明の凹凸パターン担持体の製造方法によれば、レジストが塗布された基板に、上記の電子ビーム描画方法により所望の微細パターンを描画し、該所望の微細パターンに応じた凹凸パターンを形成する工程を経て製造することにより、表面に高精度の凹凸パターン形状を有する担体が簡易に得られるものである。
【００３０】
また、本発明の磁気ディスク媒体の製造方法によれば、レジストが塗布された基板に、上記の電子ビーム描画方法により所望の微細パターンを描画し、該所望の微細パターンに応じた凹凸パターンを形成する工程を経て製造されたインプリントモールドを用い、該モールドの表面に設けられた前記凹凸パターンに応じた凹凸パターンを転写して作製することにより、このインプリントモールドの場合には、インプリント技術を用いて形状パターニングを行う際に、このモールドを磁気ディスク媒体の形成過程でのマスクとなる樹脂層表面に圧接することにより、媒体表面に一括して形状転写し、特性の優れたディスクリートトラックメディアやビットパターンメディアなどの磁気ディスク媒体を簡易に作成することができる。
【００３１】
また、本発明の他の磁気ディスク媒体の製造方法によれば、レジストが塗布された基板に、上記の電子ビーム描画方法により所望の微細パターンを描画し、該所望の微細パターンに応じた凹凸パターンを形成する工程を経て製造された磁気転写用マスター担体を用い、該マスター担体の表面に設けられた前記凹凸パターンに応じた磁化パターンを磁気転写して作製することにより、この磁気転写用マスター担体の場合には、磁性層による微細パターンを表面上に有するため、このマスター担体を磁気ディスク媒体と重ねて磁気転写技術を用いて磁界を印加することにより、磁気ディスク媒体に磁性層の微細パターンに対応した磁化パターンを転写形成し、特性の優れた磁気ディスク媒体を簡易に作製することができる。
【発明を実施するための最良の形態】
【００３２】
以下、本発明の実施の形態を図面を用いて詳細に説明する。図１は本発明の電子ビーム描画方法により基板に描画する磁気ディスク媒体の微細パターンの一例を示す平面図、図２はこの微細パターンの一部の拡大図、図３は基板の描画位置の半径と回転数の関係を示すグラフ、図４は微細パターンを構成するエレメントの近接効果補正を含む第１の描画方式を示す拡大模式図(Ａ)およびその描画方式における偏向信号等の各種信号（Ｂ）〜(Ｆ)を示す図であり、図５は微細パターンを構成するエレメントの近接効果補正を含む第２の描画方式を示す拡大模式図(Ａ)およびその描画方式における偏向信号等の各種信号（Ｂ）〜(Ｅ)を示す図である。図６は本発明の電子ビーム描画方法を実施する一実施形態の微細パターン描画システムの要部側面図(Ａ)および部分平面図(Ｂ)である。
【００３３】
図１および図２に示すように、微細凹凸形状による磁気ディスク媒体用の微細パターンは、複数のサーボ領域に形成されるサーボパターン１２で構成され、サーボパターン１２の間がデータ領域１５に構成され、円盤状の基板１０（円形基盤）に、外周部１０ａおよび内周部１０ｂを除く円環状領域に形成される。
【００３４】
サーボパターン１２は、基板１０の同心円状トラックに等間隔で、各セクターに中心部からほぼ放射方向に延びる細幅の領域に形成されてなる。なお、この例のサーボパターン１２の場合には、半径方向に連続した湾曲放射状に形成されている。その一部を拡大した図２に例示するように、同心円状のトラックＴ1〜Ｔ4には、例えば、プリアンブル、アドレス、バースト信号に対応する矩形状の微細なサーボエレメント１３が配置される。１つのサーボエレメント１３は、１トラック幅で電子ビームの照射径より大きいトラック方向長さを有し、バースト信号の一部のサーボエレメント１３は隣接するトラックに跨るように半トラックずれて配置される。
【００３５】
図４に示す第１の描画方式の場合には、基板１０の１回転で、１トラック分のサーボエレメント１３が描画されるものであり、図２の第１のトラックＴ1または第３のトラックＴ3を描画する場合には、ハッチングしているエレメント１３の描画を順に行う。隣接するトラックＴ2またはＴ3にまたがる半トラックずれたサーボエレメント１３は、半分に分割することなく、描画基準を半トラックずらせて一度に描画する。
【００３６】
なお、近年注目されているディスクリートトラックメディアでは、上記のようなサーボパターン１２に加え、データ領域１５における各データトラック間のガードバンド部分に、隣接する各トラックＴ1〜Ｔ4を溝状に分離するようトラック方向に延びるグルーブパターンが同心円状に形成されるものであり、このグルーブパターンは別途の描画制御によって描画される。
【００３７】
上記サーボパターン１２の各サーボエレメント１３の描画は、表面にレジスト１１が塗布された基板１０を、後述の回転ステージ４１（図６参照）に設置して回転させつつ、例えば、内周側のトラックより外周側トラックへ順に、またはその反対方向へ、１トラックずつ電子ビームＥＢでエレメント１３を順に走査描画し、レジスト１１を照射露光するものである。
【００３８】
図３は、基板１０のパターン描画における内周トラックと外周トラックの描画での基板回転数Ｎと半径ｒとの関係を示し、鎖線で示す基本的特性は、最内周トラック（半径ｒ１）の回転数Ｎ１に対し、最外周トラック（半径ｒ２）の回転数Ｎ２が半径に反比例して遅くなるように回転制御される。実際には、各トラックごとに回転数Ｎが変更調整されるのではなく、実線で示すように、電子ビームＥＢの半径方向の偏向可能範囲等に対応して複数トラック（例えば８トラック）の描画後に、回転ステージ４１を半径方向に機械的に移動する際に、これと連係して該回転ステージ４１の回転数を段階的に変更する制御を行うものである。
【００３９】
このように基板１０の描画領域における、描画部位の半径方向位置の移動つまりトラック移動に対し、基板１０の外周側部位でも内周側部位でも全描画域で同一の線速度となるように、前記回転ステージ４１の回転数Ｎを外周トラック描画時には遅く、内周トラック描画時には速くなるように調整する。これにより、電子ビームＥＢの描画における近接効果補正を含む均等なドーズ量を得る点、および描画位置精度を確保する点で有利となる。
【００４０】
図４は本発明の電子ビーム描画方法の第１の描画方式を示す図であり、この実施形態の描画は、サーボパターン１２におけるトラック内のサーボエレメント１３ａ，１３ｂに続いて、隣接トラックに跨るサーボエレメント１３ｃ，１３ｄを順に、後述の近接効果補正を含めて、基板１０（回転ステージ４１）の１回転（１周）で一度に描画するものである。つまり、基板１０を一方向Ａに回転させつつ、微視的に見れば直線状に延びる同心円状のトラック（トラック幅：Ｗ）の所定位相位置に、前記サーボエレメント１３ａ〜１３ｄを連続して一度にその形状を塗りつぶすように微小径の電子ビームＥＢで走査して描画する。
【００４１】
図４が内周トラックの描画とすると、サーボエレメント１３ａ〜１３ｄのトラック方向の長さは小さく、これに対して外周トラックの描画は、トラック幅Ｗは同じであるが、円周の長さが大きくなるのに伴ってサーボエレメント１３ａ〜１３ｄのトラック方向の長さが大きくなる。両者とも、最終的な磁気ディスク媒体として回転駆動された際に、対応するサーボエレメント１３ａ〜１３ｄから読み出される信号は同じである。
【００４２】
上記サーボパターン１２の記録方式はＣＡＶ（角速度一定）方式の場合であり、セクターの長さが内外周で変化するのに応じ、そのエレメント１３のトラック方向の描画長さは、外周側トラックで長く、内周側トラックで短く形成されることになる。
【００４３】
上記電子ビームＥＢの走査は、サーボエレメント１３ａ〜１３ｄの最小トラック方向長さより小さいビーム径の電子ビームＥＢを、後述のブランキング手段２４の描画部位に応じたオン・オフ制御により照射を断続し、基板１０（回転ステージ４１）の回転線速度に応じて、図４（Ａ）のように、半径方向Ｙへ一定の振幅で高速に往復振動させて振らせることで塗りつぶすように走査し、描画する。上記トラック内のサーボエレメント１３ａ，１３ｂの描画に続いて、半径方向Ｙへ電子ビームＥＢを偏向させて、半径方向Ｙの描画基準を半トラック分ずらせて、隣接トラックに跨るサーボエレメント１３ｃ，１３ｄの描画を同様に行う。
【００４４】
この図４の描画方法における近接効果補正は、図示した４つのエレメント１３ａ〜１３ｄのうち、両側のエレメント１３ａ，１３ｄが疎配置部のもので、中央のエレメント１３ｂ，１３ｃが密配置部のものであり、この密配置部エレメント１３ｂ，１３ｃの描画オン時間が、疎配置部エレメント１３ａ，１３ｄの描画オン時間より短くなるように、それぞれのオン時間を後述の描画クロック信号に基づいてブランキング信号を設定することで行うものである。
【００４５】
図４における(Ａ)は電子ビームＥＢの半径方向Ｙ（外周方向）および回転方向Ａの電子ビームＥＢの描画動作を示し、(Ｂ)に半径方向Ｙの偏向信号Ｄef(Y)を、(Ｃ)にブランキング信号ＢＬＫのオン・オフ制御を、(Ｄ)に描画クロック信号を、(Ｅ)に不変の基本クロック信号を、(Ｆ)に半径方向Ｙの振動信号Ｍod(Y)をそれぞれ示している。なお、(Ａ)の横軸は基板１０の位相を、(Ｂ)〜(Ｆ)の横軸は時間を示している。
【００４６】
上記(Ｅ)の基本クロック信号は、状況に応じて変化することのない一定のクロック信号であり、後述のコントローラ５０内で生成される。上記(Ｄ)の描画クロック信号は、前記基本クロック信号に基づき、前述の図３に示したように、内周トラック描画時と外周トラック描画時とで回転ステージ４１の回転数Ｎが変化しても、１回転（１周）でのクロック数が同一となるように、回転数Ｎの変更に応じてクロック幅（クロック長さ）が調整される。
【００４７】
つまり、クロック幅を半径ｒに応じて所定トラックごとに、内周トラックで狭く、外周側トラックで広くなるように、変えるものである。そして、周方向（回転方向Ａ）の寸法的および時間的幅を、描画クロック信号のクロック数で規定し、内周トラックおよび外周トラックで同じ描画クロック数でサーボパターン１３ａ〜１３ｄを描画することを基本としている。これにより、内周側と外周側とでの、同一角度（位相）における描画クロック数を同じにして、相似形のパターンを簡易に描画できるようにしている。なお、上記と異なり、内外周で同じクロック幅とした場合には、途中のトラックでエレメントの幅がクロック幅の整数倍とならない形態となる可能性があるのに対し、本発明では常に整数倍を維持するのでパターン幅が微細に変化するサーボエレメントを簡易に描画できる。
【００４８】
また、上記近接効果補正に応じて整数個のクロック数を増減するもので、図示の場合、疎配置部エレメント１３ａ，１３ｄの描画オン時間に対し、密配置部エレメント１３ｂ，１３ｃについては、オン開始タイミングを遅らせるとともに、オン終了タイミングを早めて描画オン時間が短くなるように補正している。
【００４９】
第１の描画例を図４により具体的に説明する。まず、ａ点で(Ｃ)のブランキング信号ＢＬＫのオンにより電子ビームＥＢを照射し、疎配置部サーボエレメント１３ａの描画を開始するものであり、描画開始位置にある電子ビームＥＢを(Ｆ)の振動信号Ｍod(Y)により半径方向Ｙに往復振動させつつ、Ａ方向への基板１０の回転に伴う電子ビームＥＢの照射位置の移動により周方向（トラック方向）に描画位置を送ることにより、矩形状のサーボエレメント１３ａを塗りつぶすように走査し、ｂ点でのブランキング信号ＢＬＫのオフにより電子ビームＥＢの照射を停止し、サーボエレメント１３ａの描画を終了する。
【００５０】
次に、基板１０が回転してｃ点になると、同様にして次の密配置部サーボエレメント１３ｂの描画を開始し、同様のオン・オフ制御に基づいて同様に描画し、ｄ点でこのサーボエレメント１３ｂの描画を終了する。上記ｃ点およびｄ点が前述のように近接効果補正によって変更されており、密配置部サーボエレメント１３ｂのオン時間が短く補正されている結果、回転方向Ａ（周方向）の描画長さ（線幅）が、疎配置部サーボエレメント１３ａの描画長さより短くなるようにしている。そして、この密配置部サーボエレメント１３ｂの最終的な感光幅が、近接効果により疎配置部サーボエレメント１３ａと同等となるように設定している。
【００５１】
続いて、ｅ点で(Ｂ)の偏向信号Ｄef(Y)を半トラック分だけ半径方向（−Ｙ）に基準位置を移動させ、その基準位置より前述と同様に、電子ビームＥＢを(Ｆ)の振動信号Ｍod(Y)により半径方向Ｙに往復振動させつつ、Ａ方向への基板１０の回転に伴って周方向に描画位置を送ることにより、矩形状の密配置部サーボエレメント１３ｃを塗りつぶすように走査し、ｆ点でのブランキング信号ＢＬＫのオフにより電子ビームＥＢの照射を停止し、サーボエレメント１３ｃの描画を終了する。上記ｅ点およびｆ点の設定が、前記ｃ点およびｄ点と同様に近接効果補正されている。
【００５２】
次に、基板１０が回転してｇ点になると、同様にして次の疎配置部サーボエレメント１３ｄの描画を開始し、同様のオン・オフ制御に基づいて同様に描画し、ｈ点でこのサーボエレメント１３ｄの描画を終了する。
【００５３】
前述のように、（Ｂ）〜(Ｃ)の描画制御信号は、(Ｄ)の描画クロック信号に基づいて作成されると共に、(Ｃ)のブランキング信号のオン・オフ制御は描画クロック信号の信号発生タイミングに合わせて行われ、オン時間を調整する近接効果補正は整数個のクロック数を増減する。
【００５４】
なお、上記サーボエレメント１３を描画する場合に、その描画開始点、つまり、図４のａ点などの複数の点で、エンコーダパルス信号に基づいて正確な位置決めがなされ、１周中のサーボパターン１２の形成位置の精度を高めている。
【００５５】
１つのトラックを１周描画した後、次のトラックに移動し同様に描画して、基板１０の全領域に所望の微細パターン１２を描画する。この電子ビームＥＢのトラック移動は、後述の回転ステージ４１を半径方向Ｙに直線移動させて行う。その移動は前述のように、電子ビームＥＢの半径方向Ｙの偏向可能範囲に応じて複数トラックの描画毎に行うか、１トラックの描画毎に行ってもよい。
【００５６】
図４が内周トラック描画時とすると、外周トラック描画時には、（Ｂ），(Ｃ)の各信号が、トラック方向の長さが所定倍率で長くなるように設定される。また、(Ｆ)の発振信号は同じ振幅Ｈ、同じ周波数に設定され、この電子ビームＥＢの半径方向往復振動の振幅Ｈによって、サーボエレメント１３の半径方向Ｙのトラック幅Ｗに相当する描画幅を規定している。一方、(Ｅ)の基本クロック信号は時間的に同じ間隔で一定に生起し、これに基づき(Ｄ)の描画クロック信号が半径に応じて１周で同じクロック数となるようにクロック幅が調整される。つまり、（Ｂ）〜(Ｃ)の倍率と同様の倍率でクロック幅が大きくなる。そして、上記描画クロック信号の信号数を数えて、各種制御信号のオン・オフ時期、信号形状を設定する。例えば、サーボパターン１２のサーボエレメント１３の描画における描画クロック数は、１０〜３０クロック程度で行うのが好適である。なお、サーボエレメント１３の描画面積が大きくなると、近接効果の影響が小さくなる傾向にあることより、内周側描画とは近接効果補正の係数が異なっている。
【００５７】
上記のように(Ｄ)の描画クロック信号は、クロック幅が外周トラックで広く内周トラックで狭くなり、回転ステージ４１の回転数Ｎは前述のように外周トラックで遅く内周トラックで速くなり、両者は同期させて同時に変更する。そして、同じ回転数Ｎの時は描画トラック位置すなわち半径位置ｒを若干変更しても、１周のクロック数が同一であるので同じ描画クロック数による制御で同じ位相位置に略同じ形態のエレメントが描画できる。そのとき、電子ビームＥＢに対するレジスト１１の相対移動速度は、半径位置で異なり、外周で若干速くなり、単位面積のドーズ量が変化する。しかし、描画されたエレメントの信号長は基板１０の回転線速度に依存するので略同じとなり、回転数Ｎおよび描画クロック信号幅を変更せずに、描画トラック位置の若干の変動はレジストの感度、信号精度等で補償され、実際の記録情報としては問題なく使用できるものであり、１トラック移動ごとに回転数および描画クロック幅を変更する必要はなく、前述のように例えば８トラック描画毎に変更調整する。
【００５８】
電子ビームＥＢのビーム強度は、上記サーボエレメント１３の高速振動描画でレジスト１１の露光が十分に行える程度に設定されている。
【００５９】
次に、図５に基づき、本発明の第２の描画方式の実施形態を説明する。図５(Ａ)は電子ビームＥＢの半径方向Ｙ（外周方向）および回転方向Ａの電子ビームＥＢの描画動作を示し、(Ｂ)に半径方向Ｙの偏向信号Ｄef(Y)を、(Ｃ)にブランキング信号ＢＬＫのオン・オフ制御を、(Ｄ)に前記と同じ１回転でのクロック数が同一となるように設定された描画クロック信号を、(Ｅ)に不変の基本クロック信号をそれぞれ示している。なお、(Ａ)の横軸は基板１０の位相を、(Ｂ)〜(Ｅ)の横軸は時間を示している。
【００６０】
この第２の描画方式は、第１の描画方式における半径方向Ｙへの往復振動は行わず、基板１０の１回転で電子ビームＥＢを１ビーム幅ずつ半径方向Ｙに送る基本的な、オン・オフ制御による描画方式である。その他は、第１の描画方法と同様である。
【００６１】
つまり、サーボエレメント１３の位置（位相）に応じて、電子ビームＥＢの照射を基板１０の回転に同期させてオン・オフ制御し、基板１０の１回転で、１周分の１ビーム幅のサーボエレメント１３を描画する。次に、基板１０の次回転で、電子ビームＥＢの半径方向Ｙの照射位置を、この電子ビームＥＢの偏向操作により１ビーム幅分だけ１ピッチ送って、同様のオン・オフ制御により電子ビームＥＢの照射描画を行い、これを繰り返し、回転ステージ４１の半径方向移動との併用によって、基板１０の内周から外周へまたは外周から内周へ順次描画し、全面描画を行うものである。
【００６２】
図５の場合には、基板１０のＲ１回転時とＲ２回転時における連続２回転分の描画態様を示している。まず、Ｒ１回転時には、(Ｂ)の半径方向Ｙの偏向信号Ｄef(Y)は、描画半径位置に対応した一定電圧の偏向信号（Ｒ１）により固定され、基板１０のＡ方向への回転に伴って、(Ｃ)のブランキング信号ＢＬＫのオン・オフ制御により電子ビームＥＢの照射を断続し、露光描画する。
【００６３】
そして、上記(Ｃ)のブランキング信号ＢＬＫのオン・オフ制御におけるオン・オフタイミングが、前記図４における場合と同様に、密配置部エレメント１３ｂ，１３ｃの描画オン時間が、疎配置部エレメント１３ａ，１３ｄの描画オン時間より短くなるように、近接効果補正が設定されている。
【００６４】
具体的には、ａ点で(Ｃ)のブランキング信号ＢＬＫのオンにより電子ビームＥＢを照射し、疎配置部サーボエレメント１３ａの描画を開始するものであり、Ａ方向への基板１０の回転に伴う電子ビームＥＢの照射位置の移動により周方向（トラック方向）に描画位置を送り、ｂ点でのブランキング信号ＢＬＫのオフにより電子ビームＥＢの照射を停止し、サーボエレメント１３ａの１ビーム幅の描画を終了する。
【００６５】
次に、基板１０が回転してｃ点になると、同様にして次の密配置部サーボエレメント１３ｂの描画を開始し、同様のオン・オフ制御に基づいて同様に描画し、ｄ点でこのサーボエレメント１３ｂの１ビーム幅の描画を終了する。このＲ１回転では、その１ビーム幅には、その後のサーボエレメント１３ｃ，１３ｄの形態が存在しないことより描画は行わない。
【００６６】
続いて、次回転のＲ２回転では、(Ｂ)の偏向信号Ｄef(Y)を１ビーム幅分だけ１ピッチ送って、描画半径位置に対応した一定電圧の偏向信号（Ｒ２）により固定される。基板１０のＡ方向への回転に伴って、ａ点で(Ｃ)のブランキング信号ＢＬＫのオンにより電子ビームＥＢを照射し、疎配置部サーボエレメント１３ａの次の１ビーム幅分の描画を開始し、Ａ方向への基板１０の回転により描画位置を送り、ｂ点でのブランキング信号ＢＬＫのオフにより電子ビームＥＢの照射を停止し、サーボエレメント１３ａの１ビーム幅の描画を行う。次に、基板１０が回転してｃ点になると、同様にして次の密配置部サーボエレメント１３ｂの描画を開始し、同様のオン・オフ制御に基づいて同様に描画し、ｄ点でこのサーボエレメント１３ｂの次の１ビーム幅の描画を終了する。
【００６７】
続いて、ｅ点で(Ｃ)のブランキング信号ＢＬＫのオンにより電子ビームＥＢを照射し、半トラック分ずれた密配置部サーボエレメント１３ｃの最初の１ビーム幅分の描画を開始し、Ａ方向への基板１０の回転により描画位置を送り、ｆ点でのブランキング信号ＢＬＫのオフにより電子ビームＥＢの照射を停止し、サーボエレメント１３ｃの１ビーム幅の描画を終了する。次に、基板１０が回転してｇ点になると、同様にして次の疎配置部サーボエレメント１３ｄの最初の１ビーム幅分の描画を開始し、同様のオン・オフ制御に基づいて同様に描画し、ｈ点でこのサーボエレメント１３ｄの１ビーム幅の描画を終了する。
【００６８】
そして、上記ｃ点、ｄ点、ｅ点およびｆ点が前述のように近接効果補正によって変更されており、疎配置部エレメント１３ａ，１３ｄの描画オン時間に対し、密配置部エレメント１３ｂ，１３ｃについては、ｃ点およびｅ点のオン開始タイミングを遅らせるとともに、ｄ点およびｆ点のオン終了タイミングを早めて描画オン時間が短くなるように、(Ｄ)の描画クロック信号のクロック数に基づいて整数個分が補正されている。
【００６９】
上記第２の描画方法においては、少なくとも１つのトラック内における半径方向への電子ビームＥＢの照射位置の移動は、電子ビームＥＢの偏向操作によって行い、次のトラックへの移動は、電子ビームＥＢの偏向操作または回転ステージ４１を半径方向Ｙに直線移動させて行う。
【００７０】
前記サーボパターン１２の各エレメント１３を描画するためには、前述のように電子ビームＥＢを走査させるものであるが、その電子ビームＥＢの走査制御を行うための描画データ信号を後述の信号送出装置６０（図６参照）より電子ビーム描画装置４０のコントローラ５０に送出する。この送出信号は回転ステージ４１の回転に応じて発生するエンコーダパルスおよび前記描画クロック信号に基づいてタイミングおよび位相が制御される。
【００７１】
上記のような描画を行うために、図６に示すような微細パターン描画システム２０を使用する。微細パターン描画システム２０は、電子ビーム描画装置４０および信号送出装置６０備えている。電子ビーム描画装置４０は、基板１０を支持する回転ステージ４１および該ステージ４１の中心軸４２と一致するように設けられたモータ軸を有するスピンドルモータ４４を備えた回転ステージユニット４５と、回転ステージユニット４５の一部を貫通し、回転ステージ４１の一半径方向Ｙに延びるシャフト４６と、回転ステージユニット４５をシャフト４６に沿って移動させるための直線移動手段４９とを備えている。回転ステージユニット４５の一部には、上記シャフト４６と平行に配された、精密なネジきりが施されたロッド４７が螺合され、このロッド４７は、パルスモータ４８によって正逆回転されるようになっており、このロッド４７とパルスモータ４８により回転ステージユニット４５の直線移動手段４９が構成される。また、回転ステージ４１の回転検出のため、エンコーダスリットの読み取りによって所定回転位相で等間隔にエンコーダパルスを発生するエンコーダ５３が設置され、このエンコーダパルス信号がコントローラ５０に送出される。なお、コントローラ５０はタイミング制御における基本クロック信号を発生するクロック手段（不図示）を内蔵している。
【００７２】
さらに、電子ビーム描画装置４０は、電子ビームＥＢを出射する電子銃２３、電子ビームＥＢを半径方向Ｙへ偏向させるとともに半径方向Ｙに一定の振幅で微小往復振動させる偏向手段２１（前記第２の描画方式の場合には、往復振動偏向は不要）、電子ビームＥＢの照射をオン・オフ制御するためのブランキング手段２４としてアパーチャ２５およびブランキング２６（偏向器）を備えており、電子銃２３から出射された電子ビームＥＢは偏向手段２１および図示しないレンズ等を経て、基板１０上に照射される。
【００７３】
ブランキング手段２４における上記アパーチャ２５は、中心部に電子ビームＥＢが通過する透孔を備え、ブランキング２６はオン・オフ信号の入力に伴って、オン信号時には電子ビームＥＢを偏向させることなくアパーチャ２５の透孔を通過させて照射し、一方、オフ信号時には電子ビームＥＢを偏向させてアパーチャ２５の透孔を通過させることなくアパーチャ２５で遮断して、電子ビームＥＢの照射を行わないように作動する。そして、前述の各エレメント１３を描画している際にはオン信号が入力されて電子ビームＥＢを照射し、エレメント１３の間の移動時にはオフ信号が入力されて電子ビームＥＢを遮断し、描画を行わないように制御される。
【００７４】
上記スピンドルモータ４４の駆動すなわち回転ステージ４１の回転速度、パルスモータ４８の駆動すなわち直線移動手段４９による直線移動、電子ビームＥＢの変調、偏向手段２１の制御、ブランキング手段２４のブランキング２６のオン・オフ制御等は制御手段であるコントローラ５０から送出された制御信号に基づいて行われる。
【００７５】
前記信号送出装置６０は、前述のサーボパターン１２などの微細パターンの描画データを記憶し、前述のコントローラ５０に描画データ信号を送出するものであり、コントローラ５０は描画データ信号に基づいて前述のような連係制御を行い、電子ビーム描画装置４０により微細パターンのサーボパターン１２を基板１０の全面に描画するものである。
【００７６】
前述の近接効果補正は、前記信号送出装置６０から補正後の描画データ信号を送出するように設定するか、コントローラ５０で連係制御を行う場合に補正することも可能である。
【００７７】
前記回転ステージ４１に設置する基板１０は、例えばシリコン、ガラスあるいは石英からなり、その表面には予めポジ型あるいはネガ型電子ビーム描画用レジスト１１が塗設されている。なお、上記電子ビーム描画用レジスト１１の感度と各エレメント１３の形状とを考慮しながら、電子ビームＥＢの出力およびビーム径を調整することが望ましい。
【００７８】
次に、図７は、上記のような微細パターン描画システム２０により、前述の電子ビーム描画方法によって描画された微細パターンを備えた、インプリントモールド７０（凹凸パターン担持体）を用いて微細凹凸パターンを磁気ディスク媒体に転写形成している過程を示す概略断面図である。
【００７９】
上記インプリントモールド７０は、透光性材料による基板７１の表面に、図７では不図示の前述のレジスト１１が塗布され、前記サーボパターン１２が描画される。その後、現像処理して、レジストによる凹凸パターンを基板７１に形成する。このパターン状のレジストをマスクとして基板７１をエッチングし、その後レジストを除去し、表面に形成された微細凹凸パターン７２を備えるインプリントモールド７０を得る。一例としては、上記微細凹凸パターン７２は、ディスクリートトラックメディア用のサーボパターンとグルーブパターンとを備えたものである。
【００８０】
このインプリントモールド７０を用いて、インプリント法によって磁気ディスク媒体８０を作製する。磁気ディスク媒体８０は、基板８１上に磁性層８２を備え、その上にマスク層を形成するためのレジスト樹脂層８３が被覆されている。そして、このレジスト樹脂層８３に、前記インプリントモールド７０の微細凹凸パターン７２が押し当てられて、紫外線照射によって上記レジスト樹脂層８３を硬化させ、微細パターン７２の凹凸形状を転写形成してなる。その後、レジスト樹脂層８３の凹凸形状に基づき磁性層８２をエッチングし、磁性層８２による微細凹凸パターンが形成されたディスクリートトラックメディア用の磁気ディスク媒体８０を作製するものである。
【００８１】
また、上記ではディスクリートトラックメディアの製造について説明したが、ビットパターンメディアも同様の工程で製造することができる。
【００８２】
図８は、上記のような微細パターン描画システム２０により前述の電子ビーム描画方法によって描画された微細パターンを備えた磁気転写用マスター担体９０（凹凸パターン担持体）を作製し、このマスター担体９０を用いて磁気ディスク媒体８５を製造するために磁化パターンを磁気転写している過程を示す断面模式図である。
【００８３】
磁気転写用マスター担体９０の作製工程はインプリントモールド７０の作製方法とほぼ同様である。回転ステージ４１に設置する基板１０は、例えばシリコン、ガラスあるいは石英からなる円板の表面にポジ型あるいはネガ型電子ビーム描画用レジスト１１が塗設され、このレジスト１１上に、電子ビームを走査させて所望のパターン１２を描画する。その後、レジスト１１を現像処理して、レジストによる微細凹凸パターンを有する基板１０を得る。これが磁気転写用マスター担体９０の原盤となる。
【００８４】
次に、この原盤の表面の凹凸パターン表面に薄い導電層を成膜し、その上に、電鋳を施し、金属の型をとった凹凸パターンを有する基板９１を得る。その後、原盤から所定厚みとなった基板９１を剥離する。基板９１の表面の凹凸パターンは、原盤の凹凸形状が反転されたものである。
【００８５】
基板９１の裏面を研磨した後、その凹凸パターン上に磁性層９２（軟磁性層）を被覆して磁気転写用マスター担体９０を得る。基板９１の凹凸パターンの凸部あるいは凹部形状は、原盤のレジストの凹凸パターンに依存した形状となる。
【００８６】
上記のようにして作製された磁気転写用マスター担体９０を用いた磁気転写方法を説明する。情報が転写される被転写媒体である磁気ディスク媒体８５は、例えば、基板８６の両面または片面に磁気記録層８７が形成されたハードディスク、フレキシブルディスク等であり、ここでは、磁気記録層８７の磁化容易方向が記録面に対して垂直な方向に形成されている垂直磁気記録媒体とする。
【００８７】
図８(Ａ)に示すように、予め磁気ディスク媒体８５に初期直流磁界Ｈinをトラック面に垂直な一方向に印加して磁気記録層８７の磁化を初期直流磁化させておく。その後、図８(Ｂ)に示すように、この磁気ディスク媒体８５の記録層８７側の面とマスター担体９０の磁性層９２の面とを密着させ、磁気ディスク媒体８５のトラック面に垂直な方向に初期直流磁界Ｈinとは逆方向の転写用磁界Ｈduを印加して磁気転写を行う。その結果、転写用磁界がマスター担体９０の磁性層９２に吸い込まれ、凸部に対応する部分の磁気ディスク媒体８５の磁性層８７の磁化が反転し、その他の部分の磁化は反転しない結果、磁気ディスク媒体８５の磁気記録層８７にはマスター担体９０の凹凸パターンに応じた情報（例えばサーボ信号）が磁気的に転写記録される。なお、磁気ディスク媒体８５の上側記録層についても磁気転写を行う場合には、上側記録層に上側用のマスター担体を密着させて下側記録層と同時に磁気転写を行う。
【００８８】
なお、面内磁気記録媒体への磁気転写の場合にも、上記垂直磁気記録媒体用とほぼ同様のマスター担体９０が使用される。この面内記録の場合には、磁気ディスク媒体の磁化を、予めトラック方向に沿った一方向に初期直流磁化しておき、マスター担体と密着させてその初期直流磁化方向と略逆向きの転写用磁界を印加して磁気転写を行うものであり、この転写用磁界がマスター担体９０の凸部磁性層に吸い込まれ、凸部に対応する部分の磁気ディスク媒体の磁性層の磁化は反転せず、その他の部分の磁化が反転する結果、凹凸パターンに対応した磁化パターンを磁気ディスク媒体に記録することができる。
【００８９】
以上説明した、本発明の電子ビーム描画方法を用いた、インプリントモールド、磁気転写用マスター担体の上述の製造方法は一例であり、本発明の電子ビーム描画方法を用いて微細パターンの描画を行い、凹凸パターンを形成する工程を経るものであれば上述の作製方法に限るものではない。
【図面の簡単な説明】
【００９０】
【図１】本発明の電子ビーム描画方法により基板に描画する微細パターン例を示す平面図
【図２】微細パターンの一部の拡大図
【図３】描画半径位置と基板回転数との関係を示す特性図
【図４】微細パターンを構成するエレメントの近接効果補正を含む第１の描画方式を示す拡大模式図(Ａ)およびその描画方式における偏向信号等の各種信号（Ｂ）〜(Ｆ)を示す図
【図５】微細パターンを構成するエレメントの近接効果補正を含む第２の描画方式を示す拡大模式図(Ａ)およびその描画方式における偏向信号等の各種信号（Ｂ）〜(Ｅ)を示す図
【図６】本発明の電子ビーム描画方法を実施する一実施形態の微細パターン描画システムの要部側面図(Ａ)および部分平面図(Ｂ)
【図７】電子ビーム描画方法によって描画された微細パターンを備えたインプリントモールドを用いて磁気ディスク媒体に微細パターンを転写形成している過程を示す概略断面図
【図８】電子ビーム描画方法によって描画された微細パターンを備えた磁気転写用マスターを用いて磁気ディスク媒体に磁化パターンを転写形成している過程を示す断面模式図
【図９】近接効果を説明するための電子ビームによる描画パターン図(Ａ)およびレジストの感光パターン図（Ｂ）
【符号の説明】
【００９１】
10    基板
11    レジスト
12    サーボパターン
13    サーボエレメント
EB    電子ビーム
Ａ    回転方向
Ｙ    半径方向
20    微細パターン描画システム
21    偏向手段
23    電子銃
24    ブランキング手段
25    アパーチャ
26    ブランキング
40    電子ビーム描画装置
41    回転ステージ
44    スピンドルモータ
45    回転ステージユニット
49    直線移動手段
50    コントローラ
53    エンコーダ
60    信号送出装置
70    インプリントモールド
71    基板
72    微細凹凸パターン
80    磁気ディスク媒体
81    基板
82    磁性層
83    レジスト樹脂層
85    磁気ディスク媒体
90    磁気転写用マスター担体
92    磁性層
【図１】
0005283410.tif 000002
【図２】
0005283410.tif 000003
【図３】
0005283410.tif 000004
【図４】
0005283410.tif 000005
【図５】
0005283410.tif 000006
【図６】
0005283410.tif 000007
【図７】
0005283410.tif 000008
【図８】
0005283410.tif 000009
【図９】
0005283410.tif 000010